(57)【特許請求の範囲】
【請求項１】
粉砕ローラ及び回転テーブルを備えて、回転テーブル上に投入した原料を、粉砕ローラで粉砕するとともに、回転テーブルの下方から供給したガスにより吹き上げて、回転テーブルの上方に配した回転式分級機構を介して上部取出口からガスとともに取り出す竪型粉砕機において、
回転テーブルの外周とケーシングの間に形成した環状の隙間に円筒状の仕切板を配し、
機外から機内にガスを導入するガス導入口から該仕切板まで伸びるガス入口ダクトを配することにより、該仕切板の内周側にガス吹上通路を形成するとともに、該仕切板の外周側に排出通路を形成するとともに、
前記仕切板とケーシングまでの距離（Ｌ１）が３０ｍｍ以上であって、且つ、竪型粉砕機に投入される原料の最大粒子径（Ｄｍ）との関係が、Ｌ１≧３×Ｄｍであることを特徴とする竪型粉砕機。
【請求項２】
前記原料が、鉄分を含有するスラグとした請求項１に記載の竪型粉砕機。
【請求項３】
前記仕切板の上部に、下方から上方に向かって回転テーブルの中心側に傾斜する風向制御板を配した請求項１又は請求項２に記載の竪型粉砕機。
【請求項４】
前記ガス入口ダクトのケーシング内部分の上方に水平面から４５度以上の傾斜をした傾斜面部を形成した請求項１から請求項３までのいずれか１項に記載の竪型粉砕機。  
【請求項５】
前記仕切板の直径（Ｄｓ）と、仕切板の下端部からガス入口ダクトの距離（Ｌ２）の関係が、Ｌ２≧０．１×Ｄｓであることを特徴とした請求項１から請求項４までのいずれか１項に記載の竪型粉砕機。
【発明の詳細な説明】
【技術分野】
【０００１】
本発明は、主に高炉スラグ、転炉スラグ等の鉄分を多く含む原料を被粉砕物として微粉砕するに好適な竪型粉砕機に関する。
【背景技術】
【０００２】
従来から、竪型粉砕機（竪型ミル、或いは竪型ローラミル等と称されることもある）と呼ばれる粉砕機が広く用いられている。竪型粉砕機は、被粉砕物（本明細書においては単に原料と称することもある）を効率的に粉砕することができるという優れた特性を備えている。特に、上抜き式、或いはエアスエプト式等と呼ばれているタイプの竪型粉砕機は、機内に下方から上方に向かって上昇しながら流れるガスの気流を形成して、機内に備えた分級機構によって粉砕後の原料を分級する。そして、所望の粒径となった原料を製品として機外に取り出すという優れた機能を備えている。エアスエプト式等と呼ばれているタイプの竪型粉砕機の１例が特許文献１に開示されている。
【先行技術文献】
【特許文献】
【０００３】
【特許文献１】特開平１０−２８８９０号
【０００４】
竪型粉砕機の粉砕挙動等について以下に簡略に説明する。
竪型粉砕機は、回転テーブル上に粉砕ローラが配されており、粉砕ローラは回転テーブルの方向に押圧されるよう構成されている。粉砕ローラは、回転テーブルが回転することにより、回転テーブルに対して原料を介して従動し回転する。
【０００５】
ここで、竪型粉砕機に投入された原料は、シュート（特許文献１においては被粉砕物供給管）を介して回転テーブルの中央付近に投入されて回転テーブルの外周側に移動する。そして、原料は回転テーブル上で粉砕ローラに噛み込まれ粉砕される。
【０００６】
回転テーブルと粉砕ローラに噛み込まれて粉砕された原料は、回転テーブルの外周部とケーシングとの間の隙間方向へと向かう。そして、隙間方向へ向かった原料は、ガス（特許文献１においては熱風）により吹き上げられてケーシング内を上昇し、セパレータへと向かい所望の寸法となった原料が上部取出口（特許文献１においては被粉砕物出口管）から取り出される。寸法が大きく重量の大きな原料は、セパレータを通過することができずに、回転テーブル上に落下して、再度、粉砕される。
【０００７】
近年では、前述の竪型粉砕機でスラグを粉砕するケースが多く見受けられるようになってきた。スラグとは、溶鉱炉で鉄鉱石を溶かして鉄を作るときに出てくる原石の中の不純物等である。主に、高炉で粗鋼を作る際、或いは、転炉で粗鋼から鋼鉄を作る際等に生じ、それぞれ出てきた場所により、高炉スラグ、電炉スラグ、或いは転炉スラグ等と呼ばれる。スラグは、粉砕されて後、セメント原料等として広く使用されている。
【発明の概要】
【発明が解決しようとする課題】
【０００８】
ここで、前述したスラグは内部に鉄分を多く含有する。しかしながら、竪型粉砕機で大量の鉄分を含むスラグを粉砕する際において、内部に含有した鉄分が粉砕ローラと回転テーブルの間で擦りあわされて、鉄粒になる可能性がある。即ち、鉄分が粉砕ローラと回転テーブルの間で擦りあわされることにより造粒されて、パチンコ玉のような鉄の塊になる可能性がある。
【０００９】
鉄粒は、鉄故に粉砕し難い材料である。そのため、鉄粒は、粉砕ローラと回転テーブルの間で原料を粉砕する際において、原料に作用させる粉砕荷重の妨げとなる。したがって、鉄粒は粉砕能力の低下という問題を引き起こす可能性がある。
【００１０】
また、鉄は延性が高い。そのため、鉄粒は、粉砕ローラと回転テーブルの間に噛み込まれても容易に割れない。結果、竪型粉砕機は、運転時に無駄な動力を消費して、電力原単位の悪化と言う問題を引き起こす可能性がある。
【００１１】
さらに、鉄粒と擦りあわされる粉砕ローラ及び回転テーブルは、摩耗の進行が速く、交換までの時間が短いと言う問題を生じる。
【００１２】
本発明は、以上、説明したような問題点に鑑みてなされたものであり、鉄分を多く含むスラグ等の原料を微粉砕する好適な竪型粉砕機の技術に関する。
【課題を解決するための手段】
【００１３】
上記の目的を達成するため、本発明による竪型粉砕機は、
（１）  粉砕ローラ及び回転テーブルを備えて、回転テーブル上に投入した原料を、粉砕ローラで粉砕するとともに、回転テーブルの下方から供給したガスにより吹き上げて、回転テーブルの上方に配した回転式分級機構を介して上部取出口からガスとともに取り出す竪型粉砕機において、
回転テーブルの外周とケーシングの間に形成した環状の隙間に円筒状の仕切板を配し、機外から機内にガスを導入するガス導入口から該仕切板まで伸びるガス入口ダクトを配することにより、該仕切板の内周側にガス吹上通路を形成するとともに、該仕切板の外周側に排出通路を形成するとともに、前記仕切板とケーシングまでの距離（Ｌ１）が３０ｍｍ以上であって、且つ、竪型粉砕機に投入される原料の最大粒子径（Ｄｍ）との関係が、Ｌ１≧３×Ｄｍとした。
【００１４】
（２）（１）に記載の竪型粉砕機において、前記原料が、鉄分を含有するスラグとした。
【００１５】
（３）（１）又は（２）に記載の竪型粉砕機において、前記仕切板の上部に、下方から上方に向かって回転テーブルの中心側に傾斜する風向制御板を配した。
【００１６】
（４）（１）から（３）までのいずれか１項に記載の竪型粉砕機において、前記ガス入口ダクトのケーシング内部分の上方に水平面から４５度以上の傾斜をした傾斜面部を形成した。
【００１８】
（５）（１）から（４）までのいずれか１項に記載の竪型粉砕機において、
前記仕切板の直径（Ｄｓ）と、仕切板の下端部からガス入口ダクトの距離（Ｌ２）の関係が、Ｌ２≧０．１×Ｄｓであることを特徴とした。
【発明の効果】
【００１９】
本発明によれば、鉄分を多く含むスラグ等の原料を微粉砕する際において機内に生じる鉄粒を速やかに機外に排出して原料を効率良く粉砕する。
【図面の簡単な説明】
【００２０】
【図１】本発明の実施形態に係わり竪型粉砕機の全体構成を説明する図である。
【図２】本発明の実施形態に係わり仕切板及び風向制御板の配置を説明する図である。
【図３】本発明の実施形態に係わり排出通路とガス吹上通路の配置を図である。
【図４】本発明の実施形態に係わり仕切板の直径を説明する図である。
【図５】本発明の実施形態に係りガス入口ダクトと仕切板の位置関係を説明する図である。
【図６】本発明の実施形態に係りガス入口ダクト上方に形成した傾斜面部を説明する図である。
【図７】本発明の実施形態に係り鉄粒の排出とガス吹上の挙動を概念的に説明する図である。
【図８】従来技術に係りガス吹上の挙動を概念的に説明する図である。
【発明を実施するための形態】
【００２１】
以下、図面等に基づき本発明の好ましい実施形態の１例を詳細に説明する。
図１から図７は本発明の実施形態に係わり、その好ましい例を示したものであって、図１は竪型粉砕機の全体構成を説明する図である。図２は仕切板及び風向制御板の配置を説明する図であり、図３は排出通路とガス吹上通路の配置を図である。図４は仕切板の直径を説明する図であり、図５は図４をＡ−Ａ断面から観察した図でありガス入口ダクトと仕切板の位置関係を説明する図である。図６はガス入口ダクト上方に形成した傾斜面部を説明する図である。図７は鉄粒の排出とガス吹上の挙動を概念的に説明する図である。なお、参考として従来技術によるガス吹上の挙動を図８に概念的に示した。
【００２２】
以下、本実施形態に係る竪型粉砕機１の好ましい構成の１例について説明する。
本実施形態に係る竪型粉砕機１は、図１に示すように竪型粉砕機１の外郭を形成する上部ケーシング１Ｂ、及び下部ケーシング１Ａ、並びに、竪型粉砕機１の下部に設置された減速機２Ｂと図示しない駆動モータによって駆動される回転テーブル２、コニカル型の粉砕ローラ３を備えている。また、図１に示した竪型粉砕機１は、図示しない駆動モータの駆動用電源としてインバータ電源を備えて、運転中、回転テーブル２の回転速度が任意に変更可能な可変速式の竪型粉砕機１である。
【００２３】
ここで、図２（１）に示すように、粉砕ローラ３は回転テーブル２の外周部分に位相を９０度ずらした形で４個配されている。また、図１に示すように、回転テーブル２の上方には、形状が略逆円錐型の内部コーン１９を備えており、内部コーン１９の上部に固定式の一次分級羽根１４が配されている。そして、内部コーン１９の上方で一次分級羽根１４の内側には、回転式分級羽根１３を有している。回転式分級羽根１３は、竪型粉砕機１の上部に設置された図示しない駆動モータにより駆動されて、自在に回転する構成となっている。なお、本明細書においては、回転式分級羽根１３と一次分級羽根１４を合わせて分級機構１５と称する。
【００２４】
本実施形態による竪型粉砕機１は、図１に示すように、回転テーブル２の下方にガスを導入するためのガス導入口３３と、重量の大きな原料を取り出すための排出シュート３４（下部取出口３４と称することもある）を備えている。また、回転テーブル２上方には、ガスと共に製品（粉砕されて所望の粒径となった原料）を取り出すことのできる上部取出口３９を備えている。
【００２５】
ここで、回転テーブル２の外周部分に対向する下部ケーシング１Ａの内周面は、円筒状になっており、回転テーブル２の外周部分と竪型粉砕機１の下部ケーシング１Ａとの間で環状の隙間を形成する。
【００２６】
そして、本実施形態においては、回転テーブル２の外周と下部ケーシング１Ａの間に形成した環状の隙間に、円筒状の仕切板６を配する。また、機外から機内にガスを導入するガス導入口３３から仕切板６まで伸びるガス入口ダクト３０を配する。ここで、図１又図２に示すように、仕切板６は、仕切板支持部６Ｃ並びに前述したガス入口ダクト３０等により、下部ケーシング１Ａに固定されている。
【００２７】
なお、円筒形状の仕切板６は、一枚タイプの仕切板６であっても良い。しかし、本発明に適応できる仕切板６の構造はこれに限るものではなく、本発明の技術思想を逸脱しない範囲内において変更が可能であって、例えば、円環を分割した分割タイプの部品を複数枚組み合わせることにより１つの円筒形状を形成して仕切板６としても良い。分割タイプの部品を複数枚組み合わせて仕切板６とすれば、現地で製作取り付けが容易という点において好ましい形態である。
【００２８】
後述するが、図３に示すように、本実施形態は仕切板６によって環状の隙間を分割して仕切ることにより、仕切板６の内周側に環状のガス吹上通路５１を形成するとともに、仕切板６の外周側に環状の排出通路５３を形成する。
【００２９】
ガス導入口３３から供給されたガスは、ガス入口ダクト３０の中を流れて仕切板６の内周側から回転テーブル２の下方へと吹き込まれる。そして、吹き込まれたガスは、主にガス吹上通路５１を上昇して機内を吹き上がり、分級機構１５を通過した後、上部取出口３９方向に流れていくように構成されている。
【００３０】
本実施形態による竪型粉砕機１は前述の構成により、運転中、ガス導入口３３よりガス（本実施形態においては空気）を導入することによって、回転テーブル２の下方から分級機構１５を介して上部取出口３９へと流れるガスの気流が生じる構成となっている。
【００３１】
図３に示した排出通路５３の寸法、言い換えると、仕切板６と下部ケーシング１Ａの間の隙間の距離について説明すると、後述する鉄粒などを含めて径の大きな原料が、排出通路５３を通過して下方に落下できる程度の大きさが必要である。検討の結果、機外から機内へ供給する被粉砕物（原料）の最大粒径をＤｍ（ｍｍ）とした場合、基本的に、Ｄｍの値が大きいほど排出通路５３で原料が閉塞しやすくなる傾向にあることがわかった。
【００３２】
したがって、図３に示すように、下部ケーシング１Ａと仕切板６の間の距離をＬ１（ｍｍ）とした場合において前述した寸法の関係を、Ｌ１≧３×Ｄｍとすることが好ましい。
また、後述する鉄粒の粒径が１０ｍｍ程度であることを考えるとＬ１≧３０（ｍｍ）は必要である。
【００３３】
以上から、仕切板６と下部ケーシング１Ａまでの距離（Ｌ１）が３０ｍｍ以上であって、且つ、距離（Ｌ１）と竪型粉砕機に投入される原料の最大粒子径（Ｄｍ）との関係について、Ｌ１≧３×Ｄｍであることが好ましい。
【００３４】
また、本実施形態においては、図５に示すように、仕切板６の下端部である仕切板下端部６Ｂが、ガス入口ダクト３０の下端部より低い位置になるように構成する。これは、仕切板６の内周側に配置したガス吹上通路５１に対し、ガス入口ダクト３０を介して供給したガスが、仕切板６を越えて排出通路５３に流れ込むのを抑制するためである。
鋭意検討の結果、仕切板６の直径が大きいほど排出通路５３にガスが流れ込みやすくなる傾向にあることが判明した。
したがって、仕切板６の直径に比例して、ガス入口ダクト３０の下端部から仕切板下端部６Ｂまでの距離を長くすることが好ましいことがわかった。
【００３５】
図４に示すように仕切板６の直径をＤｓ（ｍ）とし、又、図５に示すように、ガス入口ダクト３０の下端部から仕切板下端部６Ｂまでの距離をＬ２（ｍ）とした場合において、前述した寸法の関係を、Ｌ２≧０．１×Ｄｓとすることが好ましい。
【００３６】
次に、ガス入口ダクト３０について説明する。
ガス入口ダクト３０の下部ケーシング１Ａから仕切板６までの部分、即ち、ガス入口ダクト３０が排出通路５３を横切っている部分について、その上部に２枚の堆積防止板３０Ａを配して、水平面から４５度（°）以上の傾斜をした傾斜面部を形成している。堆積防止板３０Ａにより形成した傾斜面部の傾斜角度を図６（２）のαで示す。
【００３７】
後述するが、運転中、前述した鉄粒が排出通路３０を落下しながら通過する際において、ガス入口ダクト３０の上に落下することがある。
しかし、鉄粒がガス入口ダクト３０上に堆積することは好ましくない。したがって、本実施形態においては、図６（１）又図６（２）に示すように、ガス入口ダクト３０の上部に堆積防止板３０Ａを配して水平方向から４５度以上傾いた傾斜面部を設けることにより、ガス入口ダクト３０の上部に鉄粒が堆積することを防止する。
【００３８】
なお、本実施形態においては、ガス入口ダクト３０の上部に堆積防止板３０Ａを２枚取り付けて山形に構成することにより、ガス入口ダクト３０の上方に傾斜面部を形成して、ガス入口ダクト３０の上方に鉄粒が堆積することを防止する構成とした。
【００３９】
しかし、ガス入口ダクト３０の上部に鉄粒が堆積することを防止すための傾斜面部の構成はこれに限らないことは勿論であって、本発明の技術思想を逸脱しない範囲内において変更が可能である。例えば、ガス入口ダクト３０の上部を覆うことのできる一枚の大きな板を４５度以上傾けて配することにより堆積防止する構成であっても良いし、或いは、ガス入口ダクト３０と堆積防止板３０Ａを一体化せずに別体として、ガス入口ダクト３０の上方に配する構成などであっても良い。
【００４０】
以下、本実施形態における風向制御板５の構成について説明する。
図１から図３に示すように、回転テーブル２の外周側に形成された環状の隙間に配された円筒状の仕切板６の上部には、環状の風向制御板５が配されている。
風向制御板５は、下方から上方に向かって回転テーブル２の中心側に向かい傾斜しており、上方に向かって径の小さくなる切頭円錐型のコーン形状になっている。
【００４１】
なお、風向制御板５は、機内を吹き上がるガスの流れをコントロール等するものであり、所謂、アーマリングと同様な作用効果も奏する。
即ち、回転テーブル下方から吹き上がるガスの流れを、風向制御板５により制御して、回転テーブル２の中心方向に向かわせる。
【００４２】
ここで、風向制御板５は、仕切板６と同様に一枚タイプであっても良い。しかし、本発明に適応できる風向制御板５の構造はこれに限るものではなく、本発明の技術思想を逸脱しない範囲内において変更が可能であって、例えば、円環を分割した分割タイプの部品を複数枚組み合わせることにより１つの風向制御板５を形成して仕切板６としても良い。分割タイプの部品を複数枚組み合わせて風向制御版５とすれば、現地で製作取り付けが容易という点において好ましい形態である。
【００４３】
また、本実施形態においては、仕切板６の内周側にブレードリング１０を取り付けて前述したガス吹上通路５１を流れるガスの方向を、さらに制御する。
詳細を図示しないが、本実施形態によるブレードリング１０は、ガスの流れる方向を特定の方向に向かって傾ける複数枚のブレードにより形成されている。
本実施形態においては、ブレードリング１０によるガス方向のコントロールと、回転式分級羽根１３の回転による旋回ガスの流れと合わせて、上昇するガスが機内で旋回しながら流れるように構成されている。
【００４４】
なお、本実施形態では、上昇するガスの旋回性を高めるために、ブレードリング１０を使用する構成とした。しかし、本発明の適応の範囲はこれに限らないことは勿論であって、本発明の技術思想を逸脱しない範囲内で変更が可能である。例えば、分級機構１５の性能に合わせてブレードリング１０を適宜変更して良く、或いは、ブレードリング１０を使用しないケースも十分に想定することができる。
【００４５】
また、図２（１）又図（２）に示すように、回転テーブル２の下方側には、前述したガス入口ダクト３０を１箇所（本実施形態においては図面向かって右側）配するとともに、回転テーブル２の下方に落下してきた原料を排出する排出シュート３４を１箇所（本実施形態においては図面向かって左側）設けている。
【００４６】
さらに、回転テーブル２の下方側には、図１又図２（２）に示すようなスクレーパ２１が配されている。スクレーパ２１は、スクレーパ固定部材２１Ａを介して回転テーブル２の下側部分に取り付けられている。結果、回転テーブル２の回転に合わせてスクレーパ２１も回転する。
【００４７】
図５（１）に示すように、竪型粉砕機１の底面部と仕切板下端部６Ｂの間には、隙間を設けており、その隙間に、前述したスクレーパ２１の先端が入りこむように形成されている。後述するが回転テーブル２の下方に落下した原料の多くが、一旦、竪型粉砕機１の底面部に堆積する。そして、竪型粉砕機１の底面部に堆積した原料は、回転テーブル２とともに回転するスクレーパ２１によってかき集められて、排出シュート３４から排出される構成となっている。
【００４８】
以下、竪型粉砕機１の粉砕挙動等について簡略に説明する。
図１に示した竪型粉砕機１は、回転テーブル２上に粉砕ローラ３が配されており、それぞれのローラは、回転テーブル２の方向に押圧されるよう構成されている。粉砕ローラ３は、回転テーブル２が回転することにより、回転テーブル２に対して、原料を介して従動して回転する。
【００４９】
竪型粉砕機１の原料供給口３５に投入された原料（本実施形態においては高炉スラグ）は、原料投入シュートを介して回転テーブル２の中央付近に投入されて、渦巻き状の軌跡を描きながら、回転テーブル２の外周側に移動し、そこで粉砕ローラ３に噛み込まれて粉砕される。
【００５０】
回転テーブル２と粉砕ローラ３に噛み込まれて粉砕された原料は、回転テーブル２の外縁部に周設されたダムリングを乗り越えて、回転テーブル２の外周部と下部ケーシング１Ａとの間に形成された隙間へと移動する。
【００５１】
前述したように、本実施形態においては、仕切板６により環状の隙間を分割して仕切ることにより、仕切板６の内周側に環状のガス吹上通路５１を形成するとともに、仕切板６の外周側に環状の排出通路５３を形成している。
【００５２】
環状の隙間に移動した原料は、ガス吹上通路５１に到達して、ガスにより吹き上げられてケーシング内を上昇する。この際において吹き上げられるガスの流れは、ブレードリング１０と回転式分級羽根１３の回転による影響を受けて、旋回流となる。
【００５３】
旋回流となったガスの中に同伴されて吹き上げられた原料は、回転テーブル２の上方に配した分級機構１５の方向に向かって旋回しながら流れ始める。そして、分級機構１５を通過した径の小さな原料は、上部取出口３９から製品として取り出される。
【００５４】
ここで分級機構１５を通過できなかった原料の多くは、機内を落下し、再度、回転テーブル２まで戻されて粉砕される、或いは、内部コーン１９に捕集されて、再度、回転テーブル２上に供給されて粉砕される。
【００５５】
しかしながら、一方、原料の中で極端に重量の大きなものは、ガスにより吹き上げられず、回転テーブル２の下方に向かって落下する。回転テーブル２の下方に落下した原料は、竪型粉砕機１の底面部に達し、スクレーパ２１によって掻きとられる等して、排出シュート３４内に入り、機外に取り出される。
【００５６】
ここで、ガスにより吹き上げられた原料の中で重量の大きなものは、旋回流の中で回転することにより遠心分離されて旋回流より離脱する。
遠心分離されて旋回流より離脱した原料は、外周側、即ち、下部ケーシング１Ａ、或いは上部ケーシング１Ｂ方向へ流れるように移動し、ケーシング壁面に沿って落下する。
【００５７】
前述したように、内部に大量の鉄を含むスラグを粉砕する場合においては、鉄分が粉砕ローラ３と回転テーブル２の間で擦りあわされて、鉄粒になる可能性がある。
図７に鉄粒とガスの流れの挙動を概念的に示す。鉄粒は、旋回流の中で回転することにより遠心分離されて旋回流より離脱し、ケーシング壁面に沿って落下する。
【００５８】
本実施形態においては、仕切板６を設けることにより、排出通路５３を下部ケーシング１Ａの内周側に沿って形成している。
旋回流より離脱しケーシング壁面に沿って落下してきた鉄粒、並びに、重量の大きな原料は、排出通路５３を通過して回転テーブル２の下方に落下する。
そして、回転テーブル２の下方に堆積した鉄粒は、回転テーブル２と共に回転するスクレーパ２１により掻きとられて排出シュート３４を介して機外に排出される。
【００５９】
なお、本実施形態においては、排出シュート３４の下端にシュート開閉機構３４Ａを配している。排出シュート３４内に鉄粒等が溜まった際に、シュート開閉機構３４Ａを作動させて下端部を開くことによって、鉄粒を機外に排出する。
【００６０】
機外に排出された原料は、磁選により選別して鉄粒を除去した後、図示しないベルトコンベヤ等を利用した機外の循環ラインによって、竪型粉砕機１の原料供給口３５に送給されて、再度、粉砕される。
【００６１】
参考までに従来技術の例を図８に示す。鉄粒の中で極端に重量の大きなものは、ガスに吹き上げられずに、そのまま回転テーブルの下方に落下して機外に排出される。
しかし、ガスによる吹き上げと排出が一体となって構成においては、鉄粒の中の多くが、再度、ガスに吹き上げられて回転テーブル２上に戻される。前述したように、この鉄粒は、鉄故に粉砕し難い材料であり、原料を粉砕する際において妨げとなり、粉砕能力の低下という問題を引き起こす可能性があり、さらに、鉄粒と擦りあわされる粉砕ローラ並びに回転テーブルは摩耗の進行が速く、交換までの時間が短いと言う問題を生じる。
【００６２】
本実施形態による竪型粉砕機１は、旋回流より離脱しケーシング壁面に沿って落下してきた鉄粒を、排出通路５３を介して速やかに機外に排出し、除去することができる。
【００６３】
また、本実施形態においては、ガスを吹き上げるためのガス吹上通路５１と鉄粒なども含めて径の大きな重量のある原料を排出するための排出通路５３を分離している。
鉄粒と大きく重量のある原料は、ガス吹上通路５１を通過しないのでガス導入口３３から導入するガスの圧力損失も低減させることができる。
【００６４】
したがって、本実施形態による竪型粉砕機１によれば、鉄分を含有するスラグを原料として粉砕する場合において、特に効果が高く、従来技術に比較して、効率の良い粉砕が可能であり、粉砕ローラ３及び回転テーブル２の摩耗も抑制できるという優れた作用効果を奏する。
【００６５】
また、大きく重量のある原料を速やかに機外に排出できる本実施形態の構成は、エネルギーロスの少ない機外の循環ラインを利用して、大きな原料を循環粉砕させることができるので、スラグ以外の原料を粉砕する場合においても効率的である。
【産業上の利用可能性】
【００６６】
以上のように本願発明に係わる竪型粉砕機は、鉄分を多く含むスラグ等の原料を微粉砕する際に好適に使用できる。
【符号の説明】
【００６７】
１      竪型粉砕機
２      回転テーブル
３      粉砕ローラ
５      風向制御板
６      仕切板
６Ｂ    仕切板下端部
６Ｃ    仕切板支持部
１０    ブレードリング
１３    回転式分級機
１４    一次分級羽根
１５    分級機構
１９    内部コーン
２１    スクレーパ
２１Ａ  スクレーパ固定部材
１Ａ    下部ケーシング
１Ｂ    上部ケーシング
２Ｂ    減速機
３０    ガス入口ダクト
３０Ａ  堆積防止板（傾斜面部）
３３    ガス導入口  
３４    排出シュート
３４Ａ  シュート開閉機構
３５    原料供給口
３９    上部取出口
５１    ガス吹上通路
５３    排出通路  
【図１】
0006665547.tif 000002
【図２】
0006665547.tif 000003
【図３】
0006665547.tif 000004
【図４】
0006665547.tif 000005
【図５】
0006665547.tif 000006
【図６】
0006665547.tif 000007
【図７】
0006665547.tif 000008
【図８】
0006665547.tif 000009